(57)【要約】【課題】薄型化を図ることができる表示機器を提供することを目的とする。【解決手段】一方側に表示面２１Ａを有する表示器２１と、開口部を有し、表示面２１Ａが前記開口部から露出するように表示器２１が内部に配設される筐体３１と、を備えた表示機器において、表示器２１の側方に設けられるとともに、端面２７Ａが表示面２１に対して他方側に配置されるカバー部材２５を備え、表示器２１が筐体３１内部に配設されるときに、カバー部材２５の端面２７Ａが筐体３１の内面に当接されることを特徴とする。【選択図】図６
2007140213.tif 000002
【特許請求の範囲】
【請求項１】
一方側に表示面を有する表示器と、開口部を有し、前記表示面が前記開口部から露出するように前記表示器が内部に配設される筐体と、を備えた表示機器において、
前記表示器の側方に設けられるとともに、端面が前記表示面に対して他方側に配置されるカバー部材を備え、
前記表示器が前記筐体内部に配設されるときに、前記カバー部材の前記端面が前記筐体の内面に当接されることを特徴とする表示機器。
【請求項２】
前記筐体は、前記開口部を閉塞するプレートを有し、
前記プレートと前記表示面との間に弾性部材が配置されていることを特徴とする請求項１に記載の表示機器。
【発明の詳細な説明】
【技術分野】
【０００１】
本発明は、表示機器に関し、特に、表示器を備えた携帯電話、ＰＤＡ（Ｐｅｒｓｏｎａｌ  Ｄｉｇｉｔａｌ  Ａｓｓｉｓｔａｎｔｓ）、ノート型パソコン等に好適なものである。
【背景技術】
【０００２】
一般に、携帯電話等の携帯端末装置は、その筐体内に、情報を表示する表示面が具備された表示器を有しており、この表示器は、前記表示面が筐体に形成された開口部から外部へと露出されるように配置されている。
表示器には、液晶ディスプレイパネルや有機ＥＬディスプレイパネルが主に使用されているが、これらのディスプレイパネルの基材はガラスで構成されているため、衝撃に対して脆弱であり、携帯端末装置に加わる衝撃や荷重負荷から保護する必要がある。
【０００３】
このようなディスプレイパネルを備えた表示器を保護するために、表示器の表示面の反対側を向く背面側にカバー部材を備えた表示器の保持構造が提案されている（特許文献１参照。）。
【０００４】
この携帯端末装置のように表示器を有する従来の表示機器の表示器周辺の構造を図８に示す。フロントケース１Ａの一方側（図８において下側）の面に開口部２が形成されており、フロントケース１Ａには、開口部２内側へと延びる取付部３が形成されている。この取付部３の一方側を向く面３Ｂ（筐体１の外側）には、透明な樹脂材料で構成されたプレート４が配置されており、取付部３の他方側（図８において上側）を向く面が取付面３Ａとされている。
表示器５は、液晶ディスプレイパネル６とこの液晶ディスプレイパネル６を支持する樹脂フレーム７とを有しており、表示器５の一方側を向く面が表示面５Ａとされている。
【０００５】
そして、この表示器５の表示面５Ａの反対側を向く背面側には、金属製のカバー部材８が備えられており、表示器５の一方側を向く面（表示面５Ａ）とカバー部材８の側壁部９の一方側を向く面９Ａとが同一面上となるように構成されている。
この表示器５及びカバー部材８は、前記取付部３の他方側を向く取付面３Ａと、同一面上に形成された表示器５の一方側を向く面（表示面５Ａ）及びカバー部材８の側壁部９の一方側を向く面９Ａとが対向配置されている。
【０００６】
また、前記取付部３の他方側（図８において上側）を向く面３Ａには、衝撃を吸収するとともに表示面５Ａへのゴミ等の混入を抑制するための弾性部材として、スポンジ材１０が配置されている。
【特許文献１】特開２００１−１７５６０８号公報
【発明の開示】
【発明が解決しようとする課題】
【０００７】
ところで、図８に記載された表示機器では、上述のようにカバー部材８の側壁部９の一方側を向く面９Ａ及び表示器５の一方側を向く面（表示面５Ａ）が同一面上に形成されているため、該二面９Ａ及び５Ａと、フロントケース１Ａに形成された取付部３の他方側を向く取付面３Ａとが対向配置されると、表示面５Ａが、取付面３Ａよりも他方側に後退した位置に配置されることになるので、表示面５Ａが筐体１外表面に対して、この取付部３の厚さ以上他方側に後退した位置に配置されることとなる。
ここで、携帯端末装置には、携帯性向上の観点から更なる薄型化が要求されているが、上述した表示器５を備えた携帯端末装置では、上記表示面５Ａの筐体１外表面に対する配置位置がその薄型化を図る上で一つの弊害となっていた。
【０００８】
本発明は、このような事情に鑑みてなされたものであって、薄型化を図ることができる表示機器を提供することを目的とするものである。
【課題を解決するための手段】
【０００９】
上記目的を達成するために、この発明は以下の手段を提案している。
本発明に係る表示機器は、一方側に表示面を有する表示器と、開口部を有し、前記表示面が前記開口部から露出するように前記表示器が内部に配設される筐体と、を備えた表示機器において、前記表示器の側方に設けられるとともに、端面が前記表示面に対して他方側に配置されるカバー部材を備え、前記表示器が前記筐体内部に配設されるときに、前記カバー部材の前記端面が前記筐体の内面に当接されることを特徴とする。
【００１０】
本発明に係る表示機器は、前記筐体が前記開口部を閉塞するプレートを有し、前記プレートと前記表示面との間に弾性部材が配置されていることを特徴とする。
【発明の効果】
【００１１】
本発明の表示機器によれば、表示器の側方に設けられるカバー部材の一方側の端面が、表示器の表示面に比べてより他方側に配置され、筐体の内面に当接されるように構成されるため、筐体の内面に対して表示面を一方側に位置させることができ、表示機器全体の薄型化を図ることができる。
【発明を実施するための最良の形態】
【００１２】
以下、添付した図面を参照し本発明の実施形態である表示機器について説明する。
【００１３】
図１は、本発明の実施形態である表示機器としての携帯端末装置２０を示す図である。携帯端末装置２０は、操作部３９やプレート３５によって被覆された表示器２１を有し、表示器２１は操作部３９によって入力された文字情報などの表示を行う。
また、  図２は、図１に示す携帯端末装置の表示器２１を示す図である。表示器２１は、情報を表示する液晶ディスプレイパネル２２と、この液晶ディスプレイパネル２２を支持する樹脂フレーム２３とを有しており、全体として概略四角形平板状をなしている。この樹脂フレーム２３は液晶ディスプレイパネル２２及び図示しないバックライトなどの種々の部品を一体として支持するものである。樹脂フレーム２３の側方部には、後述するカバー部材２５を固定するための爪部２４が形成されている。
そして、この液晶ディスプレイパネル２２が配置された側の面が表示面２１Ａとされている。
【００１４】
カバー部材２５は、アルミ又はステンレス等の金属で構成され、断面コの字状をなして
おり、底面部２６と一対の側壁部２７とを有している。なお、このカバー部材２５は、板厚０．４ｍｍ以上のアルミ又はステンレス等の金属板を板金加工することにより形成されている。
これら表示器２１とカバー部材２５とは、カバー部材２５の側壁部２７と底面部２６との交差した部分に形成された係止孔２８が、表示器２１の樹脂フレーム２３に形成された爪部２４に係止されることで固定されており、カバー部材２５の側壁部２７周辺において固定された構成とされ、表示器２１の側方にはカバー部材２５が配置されている。なお、本実施形態では、この爪部２４及び係止孔２８は、一方の側壁部２７周辺に２つずつ、全体で４つ形成されている。
【００１５】
図３は、カバー部材２５と表示器２１とを固定させた状態におけるカバー部材２５側壁部２７近傍を示す図である。
図３に示すように、カバー部材２５の側壁部２７の高さは、表示器２１の表示面２１Ａよりも低くなるように設定されており、この側壁部２７の一方側（図３において上側）を向く面が当接面（端面）２７Ａとされている。つまり、当接面２７Ａが、表示面２１Ａよりも他方側（図３において下側）に配置されているのである。
【００１６】
図４は、カバー部材２５及び表示器２１を、携帯端末装置２０の筐体３１内に組み込む際の組立図である。筐体３１は、一方側（図４において下側）に配置されるフロントケース３１Ａと他方側（図４において上側）に配置されるリアケース３１Ｂとから構成されており、フロントケース３１Ａの一方を向く面に開口部３２が形成されている。
フロントケース３１Ａには、この開口部３２内側へと延びる取付部３３が形成され、この取付部３３の外周部分には、他方側へと向けて延びるガイド部３４が形成されている。
【００１７】
このガイド部３４に囲まれた部分に、カバー部材２５に固定された表示器２１が嵌入されて、表示器２１がフロントケース３１Ａに配置される。そして、このカバー部材２５及び表示器２１の他方側からリアケース３１Ｂが装着されて、表示器２１が筐体３１内に収容されることになる。
また、フロントケース３１Ａの一方側（外側）部分には、開口部３２を閉塞するように、透明な樹脂製のプレート３５が配置される。
【００１８】
図５は、カバー部材２５及び表示器２１をフロントケース３１Ａに配置した状態を示す断面図である。また、図６は、図５におけるカバー部材２５側壁部２７周辺の拡大図である。
フロントケース３１Ａの一方側（図５及び図６において上側）の面３１Ａａに形成された開口部３２にプレート３５が配置されている。このプレート３５は、その周縁部が、開口部３２内側に向けて延びる取付部３３の一方側を向く面３３Ｂに接着されるようにして固定されている。
【００１９】
そして、取付部３３の他方側（図５及び図６において下側）を向く面が取付面（内面）３３Ａとされ、この取付面３３Ａと、カバー部材２５の側壁部２７の当接面２７Ａとが互いに当接するように配置される。これにより、カバー部材２５に固定された表示器２１の一方側を向く表示面２１Ａは、取付面３３Ａよりも一方側へと突出するように配置されることになる。
【００２０】
また、このように表示器２１を保持することによって、表示器２１はフロントケース３１Ａと直接接触する部分がなく、カバー部材２５又はプレート３５を介して接触するような構成とされている。
さらに、この表示器２１とプレート３５との間には、衝撃を吸収するとともに表示面２１Ａへのゴミ等の混入を防止するための弾性部材として、スポンジ材３６が配置されている。
【００２１】
図７は、フロントケース３１Ａに表示器２１及び回路基板３７が装着された状態を示す図である。フロントケース３１Ａ内部の一方側（図７において下側）に向けて表示面２１Ａが向くように表示器２１が配置され、この表示面２１Ａの反対側を向く背面側から、回路基板３７が装着されている。この回路基板３７は、フロントケース３１Ａ周縁部に形成された複数の固定爪部３８に係止されるようにして装着されており、この固定爪部３８に係止された回路基板３７によって、表示器２１がフロントケース３１Ａの内面に向けて押圧されるように構成されている。
【００２２】
このような構成とされた本実施形態である携帯端末装置２０によれば、カバー部材２５の側壁面に形成された当接面２７Ａが表示器２１の表示面２１Ａよりも他方側（図６において下側）に配置されるとともに、フロントケース３１Ａに形成された取付面３３Ａに当接されるので、フロントケース３１Ａに形成された取付面３３Ａに対して表示器２１の表示面２１Ａを一方側に配置させることができ、この表示器２１を備えた携帯端末装置２０の薄型化を図ることができる。
【００２３】
また、表示器２１の側面及び背面にカバー部材２５が配置されているので、表示器２１を衝撃から保護することができる。
さらに、この携帯端末装置２０では、表示器２１が直接筐体３１（フロントケース３１Ａ）と接することなく、カバー部材２５を介して接触する構成とされているので、筐体３１に加わった衝撃が表示器２１に直接伝わることを抑制でき、表示器２１をさらに確実に保護することができる。
【００２４】
また、カバー部材２５が、アルミやステンレス等の金属板を板金加工することにより形成されているので、金型等を用いて成形する必要がなく、このカバー部材２５を安価で製造することができる。また、板金加工によって側壁部２７を形成しているので、折り曲げる位置を調整することで側壁部２７の高さを調整でき、側壁部２７の高さ調整を簡単に、かつ、確実に行うことができる。
【００２５】
また、衝撃を吸収するとともに表示面２１Ａへのゴミ等の混入を抑制するための弾性部材としてのスポンジ材３６が、表示器２１の表示面２１Ａとプレート３５との間に配置されているので、従来のように取付部３３とカバー部材２５の側壁部２７との間にスポンジ材３６を配置する必要がなく、スポンジ材３６の厚みによる薄型化の弊害を抑制することができる。つまり、本実施形態である表示器２１を備えた携帯端末装置２０はさらなる薄型化が図られることになる。
【００２６】
また、表示器２１とカバー部材２５とが、カバー部材２５の側壁部２７近傍に形成された爪部２４によって固定され、この側壁部２７の一方側を向く当接面２７Ａが、筐体３１（フロントケース３１Ａ）に形成された取付面３３Ａに当接されているので、筐体３１に衝撃が加わった場合でも、表示器２１とカバー部材２５とが外れてしまうことを抑制でき、表示器２１を確実に固定することができる。
【００２７】
さらに、本実施形態では、フロントケース３１Ａ周縁部に形成された複数の固定爪部３８に係止された回路基板３７によって、表示器２１がフロントケース３１Ａの内面に向けて押圧されているので、表示器２１の剛性を向上させて、表示器２１が変形することを抑制できるとともに、表示器２１を強固に固定することができる。
【００２８】
以上、本発明の実施形態について説明したが、本発明はこれに限定されることはなく、その発明の技術的思想を逸脱しない範囲で適宜変更可能である。
例えば、表示器を一つ備えた携帯端末装置について説明したが、これに限定されることはなく、メイン表示器と、メイン表示器の背面側にサブ表示器とを備えた携帯端末装置におけるサブ表示器を本発明の表示器としてもよい。
また、カバー部材の端面と、筐体に形成された取付面との間にスポンジ材などの弾性部材を設けて間接的に両者を当接させて、衝撃抑制効果をより発揮させる構成であってもよい。
【００２９】
また、カバー部材として、アルミ及びステンレス等の金属板で構成されたものとして説明したが、この材質については、その強度及び重量等を考慮して適宜設定することが好ましい。
また、表示機器としては、例えば、携帯電話、ＰＤＡ（Ｐｅｒｓｏｎａｌ  Ｄｉｇｉｔａｌ  Ａｓｓｉｓｔａｎｔｓ）、デジタルカメラ、ノート型パーソナルコンピュータ等が挙げられ、各種情報を表示する表示器を有するものであれば良い。
【００３０】
さらに、カバー部材の側壁部の端面を当接面としたもので説明したが、これに限定されることはなく、例えば、側壁部の一方側の端部を外側に向けてさらに折り曲げて、この折り曲げられて一方側を向く面を当接面としたものであっても良い。
また、表示器を、液晶ディスプレイパネルを使用したもので説明したが、これに限定されることはなく、例えば、有機ＥＬディスプレイパネル等であっても良い。
【図面の簡単な説明】
【００３１】
【図１】本発明の実施形態に係る携帯端末装置を示す説明図である。
【図２】本発明の実施形態に係る表示機器である携帯端末装置の表示器周辺を示す説明図である。
【図３】図２におけるカバー部材の側壁部周辺の拡大図である。
【図４】図２に示すカバー部材と表示器とを筐体内に組み付ける際の組み立て説明図である。
【図５】図２に示すカバー部材と表示器とが装着された筐体を示す説明図である。
【図６】図５におけるカバー部材側壁部周辺の拡大図である。
【図７】図２に示すカバー部材と表示器と、回路基板とが装着された状態を示す説明図である。
【図８】従来の表示機器の表示器周辺を示す説明図である。
【符号の説明】
【００３２】
２０  携帯端末装置（表示機器）
２１  表示器
２１Ａ  表示面
２５  カバー部材
２７  側壁部
２７Ａ  当接面
３１  筐体
３２  開口部
３３  取付部
３３Ａ  取付面
３５  プレート
３６  スポンジ材（弾性部材）
【図１】
2007140213.tif 000003
【図２】
2007140213.tif 000004
【図３】
2007140213.tif 000005
【図４】
2007140213.tif 000006
【図５】
2007140213.tif 000007
【図６】
2007140213.tif 000008
【図７】
2007140213.tif 000009
【図８】
2007140213.tif 000010